(57)【特許請求の範囲】
【請求項１】
絶縁性の基台上に配置される複数の端子部が設けられるとともに隣接する上記端子部間に上記基台から隔壁が突設する端子台において、
上記端子部に対して上記基台の端からの配置順を示す端子識別番号が割り当てられ、
上記割り当てられた端子識別番号を示す識別子が上記隔壁の、数字を表示することが困難であるような幅が狭い天端部に設けられ、
上記隔壁の天端部には、上記識別子として、上記端子識別番号に対応する個数の図形が描かれている
ことを特徴とする端子台。
【請求項２】
絶縁性の基台上に配置される複数の端子部が設けられるとともに隣接する上記端子部間に上記基台から隔壁が突設する端子台において、
上記端子部に対して上記基台の端からの配置順を示す端子識別番号が割り当てられ、
上記割り当てられた端子識別番号を示す識別子が上記隔壁の、数字を表示することが困難であるような幅が狭い天端部に設けられ、
上記隔壁の天端部には、複数に区分された領域が一列に配列され、
上記識別子は、上記領域のうち、配列順が上記端子識別番号である領域に図形が描かれている
ことを特徴とする端子台。
【請求項３】
絶縁性の基台上に配置される複数の端子部が設けられるとともに隣接する上記端子部間に上記基台から隔壁が突設する端子台において、
上記端子部に対して上記基台の端からの配置順を示す端子識別番号が割り当てられ、
上記割り当てられた端子識別番号を示す識別子が上記隔壁の、数字を表示することが困難であるような幅が狭い天端部に設けられ、
上記隔壁の天端部には、離間する複数の領域が設定され、
上記識別子は、上記隔壁の天端部の一端に最も近い領域を最も小さい桁とし、上記隔壁の天端部の一端から最も離れた領域を最も大きな桁として、上記端子識別番号に対応する二進数の１が立つ領域に図形が描かれている
ことを特徴とする端子台。
【請求項４】
上記識別子は、上記隔壁の凹凸から構成されることを特徴とする請求項１乃至３のいずれかに記載の端子台。
【請求項５】
上記識別子は、上記隔壁の色と異なる色であることを特徴とする請求項１乃至３のいずれかに記載の端子台。
【請求項６】
外部電線と接続する接続固定用ネジを端子に設け、
上記識別子は、上記接続固定用ネジの固定方向の上記隔壁の上記天端部に設けたことを特徴とする請求項１乃至３のいずれか１項に記載の端子台。
【請求項７】
絶縁性の基台上に配置される複数の端子部が設けられとともに隣接する上記端子部間に上記基台から隔壁が突設する端子台において、
上記端子識別番号は、周期性を有していることを特徴とする請求項１乃至６のいずれか１項に記載の端子台。
【発明の詳細な説明】
【技術分野】
【０００１】
この発明は、電気機器の端子台に関するものである。
【背景技術】
【０００２】
従来の端子台は、横長の基台の長手方向に隔壁及び背面壁により３方向から囲まれた複数の端子部が設けられており、各端子部には導電性の板からなる端子板を嵌め込まれ、端子板にはネジ穴が設けられている。その端子板のネジ穴に端子ネジがネジ込まれ、電線の先端に固着された圧着端子が端子ネジにより端子部に締め付けられる。
そして、端子台の各端子部を識別するために、端子台の基台の手前側に対応する数値を刻印している。
【０００３】
しかし、圧着端子を介して端子部に電線を接続した場合、端子台に刻印された数値が配線した圧着端子および電線により隠されてしまい、端子台の端子ネジのネジ固定方向から数値を確認することができなくなるという問題点があった。
そこで、端子部に対応する端子記号を印刷した表示板を背面壁に隔壁の上面より端子記号部を突出させるとともに、印刷側を端子部側として貼着して端子台が構成されている（例えば、特許文献１参照）。
また、途中の隔壁の角部が斜めにカットされた形状を有しており、５個置きの隔壁の角部がカットされていない形状を有している（例えば、特許文献２参照）。
また、各端子部を囲む背面壁の天端に各端子部に対応する端子番号を表示する（例えば、特許文献３参照）
【先行技術文献】
【特許文献】
【０００４】
【特許文献１】特開平８−２２８５５号公報
【特許文献２】実用新案登録第３１２３１６７号公報
【特許文献３】実開平１−１２２２６７号公報
【発明の概要】
【発明が解決しようとする課題】
【０００５】
しかし、端子識別番号を印刷した薄板を、基台の背面壁に貼着する方法は、端子台本体以外に薄板を貼り付けるスペースの確保が必要となり、端子台の体積の小形化の面で課題があった。
また、所定箇所の隔壁の天端の角部がカットされない形状ではネジ固定方向から見た場合、カットされている隔壁とカットされていない隔壁との判別が困難であるという課題があった。
また、端子識別番号が背面壁や隔壁の天端に表示されていて、背面壁や隔壁の天端の幅が狭い場合は端子識別番号が小さくて数字が判別できず、端子識別番号が判別出来ないといった課題があった。
【０００６】
この発明は、前記のような課題を解決するためになされたものであり、端子台に配線した電線によって隠れない場所で、端子台本体の体積を増やすことなく端子部を識別するための表示をすることにより、容易に端子識別番号の識別を可能にし、端子台への配線時および配線後の端子部の確認作業の手間が大幅に軽減される端子台を得ることを目的とする。
【課題を解決するための手段】
【０００７】
この発明に係る端子台は、絶縁性の基台上に配置される複数の端子部が設けられるとともに隣接する上記端子部間に上記基台から隔壁が突設する端子台において、上記端子部に対して上記基台の端からの配置順を示す端子識別番号が割り当てられ、上記割り当てられた端子識別番号を示す識別子が上記隔壁の、数字を表示することが困難であるような幅が狭い天端部に設けられ、上記隔壁の天端部には、上記識別子として、上記端子識別番号に対応する個数の図形が描かれている。
また、この発明に係る端子台は、絶縁性の基台上に配置される複数の端子部が設けられるとともに隣接する上記端子部間に上記基台から隔壁が突設する端子台において、上記端子部に対して上記基台の端からの配置順を示す端子識別番号が割り当てられ、上記割り当てられた端子識別番号を示す識別子が上記隔壁の、数字を表示することが困難であるような幅が狭い天端部に設けられ、上記隔壁の天端部には、複数に区分された領域が一列に配列され、上記識別子は、上記領域のうち、配列順が上記端子識別番号である領域に図形が描かれている。
さらに、この発明に係る端子台は、絶縁性の基台上に配置される複数の端子部が設けられるとともに隣接する上記端子部間に上記基台から隔壁が突設する端子台において、上記端子部に対して上記基台の端からの配置順を示す端子識別番号が割り当てられ、上記割り当てられた端子識別番号を示す識別子が上記隔壁の、数字を表示することが困難であるような幅が狭い天端部に設けられ、上記隔壁の天端部には、離間する複数の領域が設定され、上記識別子は、上記隔壁の天端部の一端に最も近い領域を最も小さい桁とし、上記隔壁の天端部の一端から最も離れた領域を最も大きな桁として、上記端子識別番号に対応する二進数の１が立つ領域に図形が描かれている。
【発明の効果】
【０００８】
この発明に係る端子台は、突設された端子部と端子部の間の隔壁の所定の位置に端子部の配置順を示す端子識別番号の識別子を表示することにより、配線時の端子識別番号の識別確認はもちろん、配線後の電線の端子識別番号の識別確認も容易に行うことができ、従来のように配線した電線が何番目であるかを端子台の端から順番に数える必要がなくなり、配線時および配線後の確認作業の手間が大幅に軽減され、特に配線確認工数の削減に貢献し得るものである。
【図面の簡単な説明】
【０００９】
【図１】本発明の実施の形態１に係る端子台の斜視図である。
【図２】本発明の実施の形態２に係る端子台の斜視図である。
【図３】本発明の実施の形態３に係る端子台の斜視図である。
【図４】本発明の実施の形態４に係る端子台の斜視図である。
【図５】本発明の実施の形態５に係る端子台の斜視図である。
【図６】本発明の参考例に係る端子台の斜視図である。
【図７】本発明の実施の形態６に係る端子台の斜視図である。
【発明を実施するための形態】
【００１０】
以下、本発明の端子台の好適な実施の形態につき図面を用いて説明する。
実施の形態１．
図１は、本発明の実施の形態１に係る端子台の斜視図である。
本発明の実施の形態１に係る端子台１は、図１に示すように、フェノール樹脂などの絶縁部材からなる基台２の上に８個の端子部６ａ〜６ｈが配設されている。なお、１つの端子台１に幾つの端子部６を配設するかについては限りがない。そして、各端子部６を長手方向から挟む隔壁７と各端子部６を幅方向の一方から臨む背面壁８が基台２に突設されている。この隔壁７は隣接する端子部６を互いに電気的に絶縁している。この背面壁８は隔壁７の補強や端子台１の背面壁８の電線が接続される反対側の方向に電気部材が配設される場合に、端子台１の各端子部６と配設される電気部材との絶縁を強化するために設けられる。
【００１１】
端子部６ａ〜６ｈには、基台２の表面に導電板９が配置され、導電板９を貫通する図示しないネジ穴に端子ネジ３がネジ止めされている。導電板９は図示していないが端子台１の裏方向（端子ネジ３の頭と反対側の方向）に突き出るように加工され、この突き出た部分をプリント基板のパターンのランドに貫通させ、半田付けで接続することにより、プリント基板に形成された電気回路と接続されるようになっている。電線５の先端に固着される圧着端子４は、導電板９と端子ネジ３の間に嵌め込まれている。圧着端子４は端子ネジ３により端子部６にネジ止め固定されプリント基板上に構成された電気回路と電気的接続を図る構造となっている。
【００１２】
端子部６ａ〜６ｈは、長方形状の基台２上に等間隔に突設された隔壁７により仕切られている。そして、端子部６ａ〜６ｈに対して端子部６ａ〜６ｈの配置順を示す端子識別番号が割り当てられている。割り当て方法として端子部６ａ〜６ｈの圧着端子４が挿入される方向に向かって左手側から右手側に向いた配置順に連番を割り当てる方法が採用されている。
すなわち、端子部６ａに対して数字「１」、端子部６ｂに対して数字「２」、端子部６ｃに対して数字「３」、端子部６ｄに対して数字「４」、端子部６ｅに対して数字「５」、端子部６ｆに対して数字「６」、端子部６ｇに対して数字「７」、端子部６ｈに対して数字「８」が端子識別番号として割り当てられている。
【００１３】
そして、端子識別番号の数の太線が等間隔に並べられた識別子１４〜２１が、圧着端子４を挿入する方向に向いて各端子部６の左手側の隔壁７の天端７ａに描かれている。識別子１４〜２１は、隔壁７の色とは異なる色の塗料を用いて描かれている。識別子１４は太線が１本から構成され、端子識別番号「１」であることを示している。識別子１５は太線が２本から構成され、端子識別番号「２」であることを示している。識別子１６は太線が３本から構成され、端子識別番号「３」であることを示している。識別子１７は太線が４本から構成され、端子識別番号「４」であることを示している。識別子１８は太線が５本から構成され、端子識別番号「５」であることを示している。識別子１９は太線が６本から構成され、端子識別番号「６」であることを示している。識別子２０は太線が７本から構成され、端子識別番号「７」であることを示している。識別子２１は太線が８本から構成され、端子識別番号「８」であることを示している。この識別子１４〜２１では、太線の数が端子識別番号に対応している。
【００１４】
このように隔壁７の天端７ａに端子識別番号に対応する識別子１４〜２１が描かれているので、端子部６に圧着端子４を固定しても識別子１４〜２１が圧着端子４により遮られず、端子部６の配置順が容易に識別することができる。
また、端子識別番号に対応する識別子１４〜２１が圧着端子４を取付けるときに端子ネジ３を締め付ける方向に背面壁８に向かって延びる隔壁７の天端７ａに描かれているので、電線５の配線接続が容易に正しく識別判断される。
なお、識別子１４〜２１を例えば蛍光塗料により描いておけば、照明環境が良好でない場所であっても端子部６の配置順の識別を容易に行うことができる。
【００１５】
実施の形態２．
図２は、本発明の実施の形態２に係る端子台の斜視図である。
本発明の実施の形態２に係る端子台１Ｂは、本発明の実施の形態１に係る端子台１と端子識別番号を示す識別子１４Ｂ〜２１Ｂが異なり、それ以外は同様であるので、同様な部分に同じ符号を付記し説明を省略する。
この発明の実施の形態２に係る識別子１４Ｂ〜２１Ｂは、端子識別番号の数の円が等間隔に並べられたものである。識別子１４Ｂ〜２１Ｂは、隔壁７の色とは異なる色の塗料で円の内側が塗られている。
識別子１４Ｂは円が１個から構成され、端子識別番号「１」であることを示している。識別子１５Ｂは円が２個から構成され、端子識別番号「２」であることを示している。識別子１６Ｂは円が３個から構成され、端子識別番号「３」であることを示している。識別子１７Ｂは円が４個から構成され、端子識別番号「４」であることを示している。識別子１８Ｂは円が５個から構成され、端子識別番号「５」であることを示している。識別子１９Ｂは円が６個から構成され、端子識別番号「６」であることを示している。識別子２０Ｂは円が７個から構成され、端子識別番号「７」であることを示している。識別子２１Ｂは円が８個から構成され、端子識別番号「８」であることを示している。
【００１６】
このように隔壁７の天端７ａに端子識別番号に対応する識別子１４Ｂ〜２１Ｂが描かれているので、端子部６に圧着端子４を挿入しても識別子１４Ｂ〜２１Ｂが圧着端子４により遮られず、端子部６の配置順が容易に識別することができる。
また、識別子１４Ｂ〜２１Ｂが円から構成されているので、隔壁７の天端７ａの幅が狭くても容易に表示できる。
【００１７】
実施の形態３．
図３は、本発明の実施の形態３に係る端子台の斜視図である。
本発明の実施の形態３に係る端子台１Ｃは、本発明の実施の形態１に係る端子台１と端子識別番号を示す識別子１４Ｃ〜２１Ｃが異なり、それ以外は同様であるので、同様な部分に同じ符号を付記し説明を省略する。
本発明の実施の形態３に係る識別子１４Ｃ〜２１Ｃは、隔壁７の天端７ａが隔壁７の幅方向の一端から幅方向に所定の間隔で区分された複数の領域のうち、隔壁７の幅方向の一端から数えて端子識別番号の数の２倍の位置の領域だけに描かれた太線からなる。この識別子１４Ｃ〜２１Ｃでは、太線が描かれた領域の位置が端子識別番号に対応している。
【００１８】
本発明の実施の形態３に係る隔壁７の天端７ａは１６個の領域に区分され、端子識別番号「１」の識別子１４Ｃは隔壁７の幅方向の一端から数えて２個目の領域に領域一杯に描かれた太線からなり、端子識別番号「２」の識別子１５Ｃは隔壁７の幅方向の一端から数えて４個目の領域に領域一杯に描かれた太線からなり、端子識別番号「３」の識別子１６Ｃは隔壁７の幅方向の一端から数えて６個目の領域に領域一杯に描かれた太線からなり、端子識別番号「４」の識別子１７Ｃは隔壁７の幅方向の一端から数えて８個目の領域に領域一杯に描かれた太線からなり、端子識別番号「５」の識別子１８Ｃは隔壁７の幅方向の一端から数えて１０個目の領域に領域一杯に描かれた太線からなり、端子識別番号「６」の識別子１９Ｃは隔壁７の幅方向の一端から数えて１２個目の領域に領域一杯に描かれた太線からなり、端子識別番号「７」の識別子２０Ｃは隔壁７の幅方向の一端から数えて１４個目の領域に領域一杯に描かれた太線からなり、端子識別番号「８」の識別子２１Ｃは隔壁７の幅方向の一端から数えて１６個目の領域に領域一杯に描かれた太線からなる。
【００１９】
このように隔壁７の天端７ａに端子識別番号に対応する識別子１４Ｃ〜２１Ｃが描かれているので、端子部６に圧着端子４を挿入しても識別子１４Ｃ〜２１Ｃが圧着端子４により遮られず、端子部６の配置順が容易に識別することができる。
【００２０】
実施の形態４．
図４は、本発明の実施の形態４に係る端子台の斜視図である。
本発明の実施の形態４に係る端子台１Ｄは、本発明の実施の形態３に係る端子台１Ｃと端子識別番号を示す識別子１４Ｄ〜２１Ｄが異なり、それ以外は同様であるので、同様な部分に同じ符号を付記し説明を省略する。
本発明の実施の形態４に係る識別子１４Ｄ〜２１Ｄでは、本発明の実施の形態３に係る識別子１４Ｃ〜２１Ｃと同様に隔壁７の天端７ａが隔壁７の幅方向の一端から幅方向に所定の間隔で複数の領域に区分されているとともに隣接する領域の境界が境界線により図示されている。なお、太線が描かれる領域は本発明の実施の形態３に係る識別子１４Ｃ〜２１Ｃと同様に隔壁７の幅方向の一端から数えて端子識別番号の数の２倍の位置の領域である。
【００２１】
このように隔壁７の天端７ａに端子識別番号に対応する識別子１４Ｄ〜２１Ｄが描かれているので、端子部６に圧着端子４を接続しても識別子１４Ｄ〜２１Ｄが圧着端子４により遮られず、端子部６の配置順が容易に識別することができる。
【００２２】
なお、隔壁７の天端７ａに描かれた境界線は例えば白線とし、太線は黒線で表示されている。このように隔壁７の天端７ａに白色の境界線が描かれ太線が黒色で表示されているので配置順位置がより見易く且つ境界線により配置順がより容易に判断することが可能とり、端子部６の配置順位置の識別を容易に行うことができる。
なお、実施の形態４では境界線が白色で太線が黒色で表示したがこれに限定されるものではなく、白色、黒色の他の色の組み合わせであっても良い。
【００２３】
実施の形態５．
図５は、本発明の実施の形態５に係る端子台の斜視図である。
本発明の実施の形態５に係る端子台１Ｅは、本発明の実施の形態１に係る端子台１と端子識別番号を示す識別子１４Ｅ〜２１Ｅが異なり、それ以外は同様であるので、同様な部分に同じ符号を付記し説明を省略する。
本発明の実施の形態５に係る識別子１４Ｅ〜２１Ｅは、端子識別番号に対応する二進数を示すバーコードからなる。隔壁７の天端７ａに離間する４個の領域を設定し、隔壁７の天端７ａの一端に最も近い領域を最も小さい桁とし、隔壁７の天端７ａの一端から最も離れた領域を最も大きな桁として二進数を表記する。二進数の１が立つ領域にバー（太棒）の凹または凸を彫り込むか太棒を印刷する。
【００２４】
識別子１４Ｅは４桁が「０００１」から構成され、端子識別番号「１」であることを示している。識別子１５Ｅは４桁が「００１０」から構成され、端子識別番号「２」であることを示している。識別子１６Ｅは４桁が「００１１」から構成され、端子識別番号「３」であることを示している。識別子１７Ｅは４桁が「０１００」から構成され、端子識別番号「４」であることを示している。識別子１８Ｅは４桁が「０１０１」から構成され、端子識別番号「５」であることを示している。識別子１９Ｅは４桁が「０１１０」から構成され、端子識別番号「６」であることを示している。識別子２０Ｅは４桁が「０１１１」から構成され、端子識別番号「７」であることを示している。識別子２１Ｅは４桁が「１０００」から構成され、端子識別番号「８」であることを示している。
【００２５】
このように端子識別番号を２進数で表示したことにより、少ない表示パターンで端子識別番号を表現できるため、１つの表示をより大きくすることができ、見易くすることが可能となる。従って、端子部６が多い端子台であっても明瞭に識別子を表示することが可能となる。
なお、上述の実施の形態４で説明したように領域の外周を境界線により表しても良い。
【００２６】
参考例．
図６は、本発明の参考例に係る端子台の斜視図である。
上述の本発明の実施の形態１乃至５に係る端子台ではすべての端子部６の隔壁７に端子識別番号に対応する識別子を隔壁７の天端７ａに描いているが、本発明の参考例に係る端子台１Ｆでは特定の端子部６にだけ目印１０を対応する隔壁７の天端７ａに描いている。すなわち、端子部６の配置順を端子台１Ｆの端から順番に数えるときの助けになる目印１０を描かれている。
本発明の参考例に係る端子台１Ｆでは、端子台１Ｆの端からの配置順が４番目毎の端子部６、すなわち端子部６ｄ、６ｈに対応する隔壁７の天端７ａに目印１０として太線を描いている。
【００２７】
このように一部の隔壁７の天端７ａにだけ目印１０を表示するので表示が簡単である。なお、この目印１０を用いて端子部６の配置順を数えることができる。
【００２８】
実施の形態６．
図７は、本発明の実施の形態６に係る端子台の斜視図である。
本発明の実施の形態６に係る端子台１Ｇでは、端子部６の配置順を数えるときの助けになる目印１１ａ〜１１ｄが所定の周期で隔壁７の天端７ａに繰り返して描かれる。所定の周期で繰り返される目印１１ａ〜１１ｄとして、隔壁７の天端７ａに描かれた１本から４本までの太線である。
このように所定の周期で繰り返される目印を参照して端子台１Ｇの端から端子部６の配置順を数えることができるので、所定の周期毎に配置順を数えることができる。
なお、図７においては、端子部６ａから端子部６ｄを１組、端子部６ｅから端子部６ｈを１組として繰り返しているが、繰り返しの周期はこれに限るものでは無い。
また、上述の実施の形態４で説明したように領域の外周を境界線により表しても良い。
【００２９】
なお、本発明の実施の形態１乃至６に係る端子台では、隔壁７の天端７ａへの識別子または目印の表示が隔壁７の天端７ａ自体の凹または凸による表示でも良いし、シルク印刷による表示でも良い。また、別部材を隔壁７の天端７ａに埋め込むことによる表示でも良い。
また、隔壁７の天端７ａへの識別子として本発明の実施の形態１乃至５に係る識別子を組み合わせても良い。
このように端子部６の配置順を識別するための端子識別番号を表示する識別子として図形を採用しているので、数字や記号を表示することが困難であるような隔壁７の天端７ａの幅が狭い場合であっても明確に表示することが可能である。
上述したように端子部６の配置順を識別するための表示方法について詳述したが、これら表示方法を説明した説明書を端子台に表示または添付すればより利用者にとって利便性が向上する。
また、上述の実施の形態では識別子を隔壁７の天端７ａに識別子を表示しているが、圧着端子４を取付けるときに見える隔壁７の側端面または側面に識別子を表示しても良い。
また、背面壁８の天端または背面壁８の側面に端子部６ａ〜６ｈの端子識別番号に対応する識別子を表示しても良い。
【００３０】
本発明は以上説明したように構成されているので以下の効果が見込まれる。
端子台に配線した電線によって隠れない場所で、端子台本体の体積を増やすことなく端子識別番号を示す識別子を表示することにより、容易に端子識別番号の識別が可能となり、従来のように配線した電線が何番目であるかを端子台の端から順番に数える必要がなくなり、端子台への配線時および配線後の端子識別番号の確認作業の手間を省略することが可能となる。
【００３１】
なお、上述の実施例では、複数の端子部が直線状に配列されプリント基板に接続される用途の端子台について説明したが、これに限定されるものではなく、プリント基板等に接続されない端子台、背面壁のない端子台、端子ネジを２個用い電線どうしを接続する端子台、複数の端子が直線状に配列されかつ背中合わせで２列に形成された端子台、複数の端子が直線状に配列されかつ階段状に並列に形成された端子台などに用いても同様の効果を奏する。
【符号の説明】
【００３２】
１、１Ｂ、１Ｃ、１Ｄ、１Ｅ、１Ｆ、１Ｇ  端子台、２  基台、３  端子ネジ、４  圧着端子、５  電線、６、６ａ〜６ｈ  端子部、７  隔壁、７ａ  （隔壁の）天端、８  背面壁、９  導電板、１０、１１ａ〜１１ｄ  目印、１４、１４Ｂ〜１４Ｅ、１５、１５Ｂ〜１５Ｅ、１６、１６Ｂ〜１６Ｅ、１７、１７Ｂ〜１７Ｅ、１８、１８Ｂ〜１８Ｅ、１９、１９Ｂ〜１９Ｅ、２０、２０Ｂ〜２０Ｅ、２１、２１Ｂ〜２１Ｅ  識別子。
【図１】
0005735231.tif 000002
【図２】
0005735231.tif 000003
【図３】
0005735231.tif 000004
【図４】
0005735231.tif 000005
【図５】
0005735231.tif 000006
【図６】
0005735231.tif 000007
【図７】
0005735231.tif 000008